(57)【要約】      （修正有）【課題】携帯、スマートフォンで、各種伝票や、発注伝票を作り、他の携帯、スマートフォン、パソコンに送ることを可能にする。また、携帯、スマートフォンで、表計算を可能にする。【解決手段】縦と横に敷き詰められたマスが並んだ表において、マスに縦横の番号、記号を振り、マスに文字や数字を入力することで表を作成し、マスに計算する項目のマスの番号記号を用いた計算式を入力することで、表計算する携帯アプリケーションを作成する。【選択図】図４
2014157591.tif 000002
【特許請求の範囲】
【請求項１】
記入マスを立てと横に並べ、項目を記入する事で作表し、携帯、スマートフォン、パソコンなどにデータを送る携帯アプリ、または、項目番号を使った演算式をマスに記入して表計算する表計算携帯アプリ、及びそれらを用いた伝票類のテンプレート
【発明の詳細な説明】
【技術分野】
【０００１】本発明は、作表や、表計算を、携帯でする、携帯アプリに関する。
【背景技術】
【０００２】携帯電話やスマホで、表計算データや、会計ソフトのデータをパソコンに送り、パソコンで、データ活用する、パソコンデスクワークアプリデータの携帯電話によるデータ入力システムを［特願２０１３−１０６００］で開発した。しかし、肝心の、携帯表計算アプリが、存在しなかった。
【先行技術文献】
【特許文献１】特願２０１３−１０６００
【発明の概要】
【０００３】本アプリを開くとレアウトのトップページ［図１］が開く様にします。レアウトの部分には、完了ボタン（６）表全体のマス（横）（２）（立て）（３）と備考枠有りのラジオボックス（４）または、入力（５）を選べる様にアンダーバー（１）がしめされます。［図２］携帯の十字キー（７）により上下右左のキーで、アンダーバー（１）を移動し、何をするかを選択します。入力（５）を選んで決定すると、任意の表［図３］が現れます。表には選択マス［図３］（９）が、塗りつぶされています。この選択マス（９）は、十字キー（７）で移動出来ます。十字キーの真ん中にある、決定ボタン［図２］（１０）を押すと、選択マス（９）が文字入力可能状態［図４］（１１）となり、文字、数値を入力出来ます［図５］文字、数値を入力し、決定ボタン（１０）を押すと、横幅または、改行を設定しました。右キー（１６）でＯＫ，下キー（１５）で改行！のメッセージが現れ、右キー（１６）で、選択マス表示状態に、下キー（１５）で改行され、入力可能状態になります。２行目以降も、決定ボタン（１０）で、横幅または、改行が出来ます。横幅の長さが一番長かったマスの長さに、その行の横幅の長さが決まります。また、横幅または、改行ポイントで、もう一度決定ボタンを押すと、横幅または、改行の設定が解除されました。となり、横に続けて入力可能となります。文字列は、２行目を１行目に加えた長さとなり、必要に応じて、改行を決定ボタンと下ボタンで決定します。決定ボタンを押して、その続きの文字がある場合は、右ボタンを押すと、文字入力ポイントが移動します。必要項目を入力したら、レアウトボタン［図３］［図５］（１３）を押してトップページ［図１］に帰ります。表全体のマス（横）（２）か、縦（３）にアンダーバー（１）を合わせ決定を押して、必要なマスの数かアルファベットをそれぞれ、記入します。この時、その範囲の外に入力された、文字か数値があれば、「枠外に、記入があります。」とエラーメッセージが、表示されます。なければ、その範囲の表になり、備考枠有りのチェックボックスに（４）チェックが入っていたら表の下に備考欄［図６］（１４）が、付いて表になります［図６］。入力を再度押し備考欄を選択して、備考を入力します。備考欄は、立て幅が、文字の数に応じて広くなります。レアウトボタン（１３）を押して、レアウトページ［図１］に帰り、完了ボタン（６）にアンダーバー（１）を合わせ、決定を押して、完成をアプリに知らせると、完成ですか？（ＹＥＳ，ＮＯ）のメッセージが現れて、ＹＥＳを選択すると、保存か、送信か、聞いてきます。送信を選択すると、送信アプリが起動します。送信アプリは、送り先アドレスを記入登録または、電話帳か、メール選択で、アドレスを決定出来る様になっています。以上の様に本アプリをプログラムします。  以上が作表の基本形ですが、これに、表計算の機能を持たせても良い。項目マスを入力するとき、数式入力［図４］（１８）が出来る様にして、たとえば、仕入れ単価［（Ｂ）項目入力時に、数式入力（１８）を選択して、決定（１０）を押すと、数式入力出来るようになり、（仕入れ価格）÷（仕入れ個数）をマスのアルファベットを使って、Ｂ÷Ｆの様に入力したり、売り値単価の項目を、売り上げ見込み÷個数で、Ｇ÷Ｆと入力する［図７］。すると、項目の行は、全て、その列の演算結果が、自動で表示される様にする。また、行の終わりは、計と入力すれば、立ての合計が、表示されて出て来る様にプログラムする。なお、表は、携帯のディスプレーでは、全容を表示するには、無理があり、文字が小さくなるので、マスを左右上下に移動することで、隠れた部分の表が見えるようにする。また、余談ではあるが、あらかじめ、この様な表計算表をテンプレートに持つパソコンアプリと、携帯アプリを用意しておいて、［特願２０１３−１０６００］の技術を用いて、携帯アプリから、作表データをパソコンに送り、パソコンは、表を解凍して、パソコンアプリにデータを入力し、データ活用する。
【発明が解決しようとする課題】
【０００４】携帯で、作表して、発注伝票を他の携帯に送る為に、作表したり、携帯で表計算出来る様にする。
【問題を解決する手段】
【０００５】縦横に敷き詰められたマスに項目を記入する事で、作表し、マスに、縦横の番号、記号を振っておいて、項目の番号、記号を用いて、マスに計算式を、入力して、表計算するアプリを作る。
【発明の効果】
携帯で表計算出来る事で、たとえば、希望利益を得るのに単価いくらで売れば良いかを仕入れ伝票を入力しながら計算出来る。発注指示や、依頼を、作表することで、判り易く記入でき、送れる。データは、パソコンの、会計全体のアプリに取り込んで活用できる。伝票のテンプレートを作っておいて、発売されれば、難しい式なども、考えずに、伝票入力するだけで、必要な、計算式とデータがわかる。棚卸のデータを携帯、スマホで入力して、パソコンに送り、管理できる。
【発明を実施する為の形態】
【０００７】本発明のアプリを起動すると、レアウトページ［図１］が、開く。タイトル（１９）にアンダーバー（１）を、十字キー（７）を用いて合わせ、決定ボタン（１０）を押すとタイトルが、入力できる。入力したら、決定ボタン（１０）を押して、元に戻る。入力（５）にアンダーバー（１）を、十字キー（７）をもちいて、あわせて、決定ボタン（１０）を押すと、任意の表［図３］が、現れます。表［図３］には、タイトル（２０）が記入され、選択しているマス（９）が、塗りつぶされています。十字キー（７）をもちいて、マスを移動して、記入するマスを選択し、決定（１０）を押すと、入力可能状態になります［図４］（１１）数式をこのマスに入力したい場合は、十字キー（７）の下キー（１５）を押して数式入力を選択して、決定（１０）を押すと数式入力になります。たとえば、［図７］の表の様にアルファベットと演算記号を、十字キー入力［図８］の通りに十字キー（７）で演算記号、番号ボタンで、割り振られたローマ字で、アルファベットを、入力すると、その項目のマスは、全てその演算結果の数値が表示されます。必要な項目を入力して、全てを埋め、作表が完成したら、レアウトボタン（１３）を下キー（１５）で選択し、レアウトページ［図１］に戻り、表横（２）を選択し決定を押して現れるページに表の末端のアルファベットを記入し、同様に表縦を記入します。完了（６）をアンダーバー（１）で選択して、決定ボタンを押すと、保存か、送信を聞いてきますので、送信なら、選ぶと、送信アプリが、起動します。あとは、特願２０１３−１０６００に従います。
【図面の簡単な説明】
【０００８】
【図１】携帯の作表レアウトページの図
【図２】十字キーと決定ボタンの図
【図３】任意の表が現れた図
【図４】選択マスを決定して、入力状態になった図
【図５】項目を入力した所の図
【図６】表に備考欄がついた図
【図７】数式を入力した図
【符号の説明】（１）項目選択するアンダーバー（２）表の横のマス数を決める表マスボタン（横）（３）表の縦のマス数を決める表マスボタン（縦）（４）備考欄を設ける為のラジオボックス（５）表入力する入力ボタン（６）表の完成を携帯アプリに知らせる、完了ボタンで、保存、送信を選ぶ（７）十字キー（８）数字、文字、アルファベットを記入する番号ボタン（９）選んでいるマスは塗りつぶされ、十字キーで移動出来る選択マス（１０）決定ボタン（１１）入力可能状態を知らせるバーの点滅（１２）無記入（１３）レアウトページに戻るレアウトボタン（１４）備考枠有りのラジオボックスにチェックで設けられる備考欄（１５）十字キーの下キー（１６）十字キーの右キー（１７）十字キーの左キー（１８）表計算の為の、数式入力ボタン（１９）無記入（２０）タイトルが記入される場所
【図１】
2014157591.tif 000003
【図２】
2014157591.tif 000004
【図３】
2014157591.tif 000005
【図４】
2014157591.tif 000006
【図５】
2014157591.tif 000007
【図６】
2014157591.tif 000008
【図７】
2014157591.tif 000009
【手続補正書】
【提出日】平成25年5月22日(2013.5.22)
【手続補正１】
【補正対象書類名】特許請求の範囲
【補正対象項目名】全文
【補正方法】変更
【補正の内容】
【特許請求の範囲】
【請求項１】
縦横に敷き詰められた記入マスに、立てと横のマスにそれぞれ番号、記号を振っておき、作表範囲を番号、記号で示す事で作表し、携帯、スマートフォン、パソコンなどにデータを送る携帯アプリ、または、項目番号を使った演算式をマスに記入して表計算する表計算携帯アプリ、及びそれらを用いた伝票類のテンプレートで、他の携帯スマホ、パソコンに送る用として用いる物